(57)【特許請求の範囲】
【請求項１】
モニタ、アンプなどの複数の機器で構成されるカラオケ装置において、
該複数の機器を収納するラックの背板に光ファイバを敷設し、
前記複数の機器の背面の前記光ファイバに対向する位置に、該機器をラックに収納したとき前記光ファイバと当接するように光伝送路の端部を設け、
該光伝送路および前記光ファイバを介してデータを送受信するようにしたカラオケ装置。
【発明の詳細な説明】
【０００１】
【発明の属する技術分野】
この発明は、接続を容易にしたカラオケ装置に関する。
【０００２】
【発明が解決しようとする課題】
一般的な業務用カラオケ装置は、本体、ＤＶＤ（ＣＤ−ＲＯＭ）チェンジャ、アンプ、ボイスアダプタなどの複数の機器で構成されている。各機器は、同期して動作し互いにディジタルデータ、アナログ信号などを送受信しているため、各装置の背面には多くのコネクタが設けられ、各機器間にはケーブルが張りめぐらされ、その接続は極めて複雑であった。
【０００３】
このため、機器の設置は、サービスマンしかすることができず手間が掛かるうえ、サービスマンであっても結線を間違える場合があった。さらに、移設する場合などもケーブルを外して移動したのち、再度ケーブルを接続する必要があり、サービスマンでなければできないという問題点があった。
【０００４】
この発明は、複数の機器間の接続を容易にしたカラオケ装置を提供することを目的とする。
【０００５】
【課題を解決するための手段】
この発明は、モニタ、アンプなどの複数の機器で構成されるカラオケ装置において、該複数の機器を収納するラックの背板に光ファイバを敷設し、前記複数の機器の背面の前記光ファイバに対向する位置に、該機器をラックに収納したとき前記光ファイバと当接するように光伝送路の端部を設け、該光伝送路および前記光ファイバを介してデータを送受信するようにしたことを特徴とする。
【０００６】
【発明の実施の形態】
図１はこの発明の実施形態であるカラオケ装置の機器構成を示す図である。カラオケ装置は、本体１、ボイスアダプタ２、アンプ３、ＤＶＤチェンジャ４、モニタ５およびステレオスピーカ（図示せず）で構成されている。また、カラオケ装置の一部として、図示しない歌唱用マイクロホン、赤外線リモコン装置も別体で設けられている。歌唱用マイクロホンはＶＨＦのＦＭ信号でアンプ３に歌唱音声信号を送信する。赤外線リモコン装置はコード変調された赤外線信号を本体１に送信する。本体１，ボイスアダプタ２、アンプ３、ＤＶＤチェンジャ４は同じ幅，奥行きが同じ寸法になるように構成されており、ラック１０に縦に収納されている。
【０００７】
本体１は、楽曲データに基づいてカラオケ演奏音を発生する演奏機能、利用者からのリクエストを受け付ける選曲予約機能、ＤＶＤチェンジャ４が再生した背景映像に歌詞のスーパーインポーズを合成する映像処理機能などを備え、このカラオケ装置全体を制御するものである。
【０００８】
ボイスアダプタ２は、歌唱者の歌唱のピッチずれを補正したり、歌唱者の歌唱に対してハーモニー音声を付加するなどの音声処理機能を担当するものであり、カラオケ装置本体１から動作を制御されるとともにハーモニー旋律データなどのデータを受信する。また、アンプ３から歌唱音声信号を受信するとともに、処理した歌唱音声信号やハーモニー音声信号をアンプ３に返送する。
【０００９】
アンプ３は図示しない歌唱用マイクから歌唱音声を受信するとともにカラオケ装置本体１からカラオケ演奏音信号を受信し、ボイスアダプタ２からハーモニー音声信号などを受信し、これらをミキシングしてスピーカに出力する。アンプ３とスピーカはコードで接続してもよく、ＦＭ信号で送信するようにしてもよい。ＦＭ信号で送信する場合には、スピーカを駆動するメインアンプは各スピーカ側に内蔵する。
【００１０】
ＤＶＤチェンジャ４は、背景映像を再生するともに、曲データ用ディスクに書き込まれている定番曲の楽曲データを読み出してカラオケ装置本体１に送信する。ＤＶＤに記録されている動画映像はＭＰＥＧ圧縮されているが、ＭＰＥＧデコーダは、ＤＶＤチェンジャ４に内蔵してもよく、カラオケ装置本体１に設けるようにしてもよい。ＭＰＥＧデコーダをＤＶＤチェンジャ４に内蔵した場合には、再生したアナログの映像信号をカラオケ装置本体１に送信する。ＭＰＥＧデコーダをカラオケ装置本体１に設けた場合には、ＤＶＤチェンジャ４はデータを読み出してそのままカラオケ装置本体に伝送し、カラオケ装置本体１がこのデータをデコードして映像信号を再生する。
モニタ５は、カラオケ装置本体１から映像信号を受信してＣＲＴに表示する。
【００１１】
図２は、同カラオケ装置の背面構成およびラック１０の背板の構成を示す図である。同図（Ａ）において、ラック１０の背板１１上には、５本のレール１１ａ〜１１ｅが形成されている。このレール１１ａ〜１１ｅは、断面コ字状（図３参照）に形成されており、各レール内には光ファイバ１２ａ〜１２ｅが敷設されている。この光ファイバ１２は、単心の軟性樹脂ファイバであり、側面から押さえることによって変形し、伝送光の漏れを生じさせることができる。また、光ファイバ１２ａ〜１２ｅの両端はキャップされ、外乱光の侵入を防止している。
【００１２】
また、同図（Ｂ）に示すように、カラオケ装置の各機器の背面には、赤外線入出力端子１３がそれぞれ対応する位置に突出して設けられている。赤外線入出力端子１３は、図３に示すように前記光ファイバ１１の側面に圧接する硬質のファイバの先端部で構成されており、圧接して軟質の光ファイバ１２を変形させることにより、該光ファイバにレーザ光の伝送漏れを生じさせ、入出力端子１３から光ファイバ１２内にレーザ光信号を送り込んだり、光ファイバ１２内を伝送している光信号を取り込んだりすることができる。入出力端子１３には、各機器のデータ送受信インタフェースが接続されている。インタフェースとしては、ＩＥＥＥ１３９４やＵＳＢインタフェースをこの光ファイバ伝送に適合させたものを用いればよい。
【００１３】
カラオケ装置本体１の背面には、光ファイバ１２ａ，１２ｂ，１２ｃ，１２ｄに対向する位置に赤外線入出力端子１３（１３−１ａ，１３−１ｂ，１３−１ｃ，１３−１ｄ）が設けられている。また、ボイスアダプタ２の背面には、光ファイバ１１ａおよび１２ｅに対向する位置に赤外線入出力端子１３（１３−２ａ，１３−２ｅ）が設けられている。これにより、カラオケ装置本体１とボイスアダプタ２とは光ファイバ１２ａを介して制御信号やデータの送受信を行う。
【００１４】
また、アンプ３の背面には、光ファイバ１２ｂおよび１２ｅに対向する位置に赤外線入出力端子１３（１３−３ｂ，１３−３ｅ）が設けられている。これにより、カラオケ装置本体１とアンプ３とは光ファイバ１２ｂを介して制御信号やカラオケ演奏音の送受信を行う。さらに、ボイスアダプタ２とアンプ３とは光ファイバ１２ｅを介して音声信号の送受信を行う。
【００１５】
ＤＶＤチェンジャ４の背面には、光ファイバ１２ｃに対向する位置に赤外線入出力端子１３（１３−４ｃ）が設けられている。これにより、カラオケ装置本体１とＤＶＤチェンジャ４とは光ファイバ１２ｃを介して映像信号（ＭＰＥＧデータ）の送受信および制御信号の送受信を行う。
【００１６】
また、モニタ５の背面には、光ファイバ１２ｄに対向する位置に赤外線入出力端子１３（１３−５ｄ）が設けられている。これにより、モニタ５は光ファイバ１２ｄを介してカラオケ装置本体１から映像信号を受信する。この映像信号はアナログの信号である。
【００１７】
このように、各機器をラック１０に収納するのみで、赤外線入出力端子１３が光ファイバ１２と圧接し、光ファイバを介したデータ伝送が可能になるため、設置が容易であり、各機器をどの順番で積み重ねてラックに収納しても接続されるため自由度も高い。
【００１８】
なお、上記実施形態では、複数の光ファイバを用い、各光ファイバは機器を１対１で接続するようにしているが、１本の光ファイバ上に全ての機器を接続してＬＡＮ方式でデータ伝送を行うようにしてもよい。この場合には、映像信号の伝送のみ別の線で行うか、または、極めて高速の伝送プロトコルを用いて映像信号もパケットで伝送するようにすればよい。
【００１９】
また、ケーブルを用いずに無線でデータ伝送を行うようにすることもできる。赤外線信号をラック背面に照射し、ラック背面での反射光を他の機器が受光してデータ伝送するようにしてもよい。各機器毎に変調周波数を変えておくことにより、混信することなくデータ伝送をすることができる。
【００２０】
上記実施形態では、各機器間のデータ伝送方式について説明したが、赤外線リモコン装置とカラオケ装置本体１との伝送方式もＩｒＤＡプロトコルで行うことにより、ＩｒＤＡインタフェースを有するいわゆるモバイル端末から曲のリクエストを行うことができるようになる。そして、モバイル端末は種々の情報処理機能を備えているため、事前に複数の曲の曲番号を演奏順にプログラムしておき、これを一気にカラオケ装置本体１に伝送するなどの方式も可能になる。
【００２１】
【発明の効果】
以上のようにこの発明によれば、カラオケ装置を構成する複数の機器をラックに収納するのみで、伝送線である光ファイバ線への接続が完了するため、接続が極めて容易になるとともに、ラックへの積み重ね順も任意であるため、自由度も高い。
【図面の簡単な説明】
【図１】この発明の実施形態であるカラオケ装置の機器構成図
【図２】同カラオケ装置のラック背板および各機器の背面を示す図
【図３】光ファイバと赤外線入出力端子との接続形態を示す図
【符号の説明】
１…カラオケ装置本体、２…ボイスアダプタ、３…アンプ、４…ＤＶＤチェンジャ、５…モニタ
１０…ラック、１１ａ〜１１ｅ…レール、１２ａ〜１２ｅ…光ファイバ、１３…赤外線入出力端子
【図１】
0004103223.tif 000002
【図２】
0004103223.tif 000003
【図３】
0004103223.tif 000004